(57)【特許請求の範囲】
【請求項１】
遊戯者の操作により球体を目標物に向かって飛ばすことを含むゲーム装置であって、遊戯者により継続して操作されることにより回転部材を回転させる回転操作手段と、前記回転部材の回転速度を検出する速度検出手段と、前記ゲーム装置に収容された多数の球体の中の複数個を連続的に飛ばす球体発射手段と、前記速度検出手段の検出回転速度に応じて前記球体発射手段の発射動作速度を制御する第１の制御手段と、を備え、
前記回転操作手段が、前記回転部材を連動回転させるように設けた回転ハンドルであり、前記速度検出手段が、前記回転部材の周囲に断続して設けられた被検出部と、その被検出部を検知して回転速度信号を第１制御手段へ出力する被接触センサーとからなり、
前記ゲーム装置内部に設けた盤面が、球体を集合させる傾斜面を具備し、前記球体発射手段が、前記傾斜面によって球体が集合する集合部に接近して設けられ駆動源により回転する回転軸と、該回転軸に取り付けられ回転により前記集合部の球体の複数個を同時に飛ばすように設けた少なくとも一つの羽根と、を具備することを特徴とするゲーム装置。
【請求項２】
前記回転操作手段が、遊戯者の操作により左右に揺動操作可能に設けられ、別に、前記回転操作手段の揺動を検知して信号を発する揺動検知手段と、前記球体発射手段を左右に移動させる移動手段と、前記揺動検知手段からの信号に応じて前記移動手段に球体発射手段を左右に移動させる第２の制御手段とを設けたことを特徴とする請求項１記載のゲーム装置。
【請求項３】
前記目標物が、前記ゲーム装置内部を移動可能なように構成され、上側から下側へ前記球体の通過できる通過部を有するものであり、その通過部を通過した球体の数を計数して表示する表示部を別に設けたことを特徴とする請求項１又は請求項２に記載のゲーム装置。
【請求項４】
前記目標物、回転操作手段、速度検出手段、球体発射手段を備えた２組のゲーム装置を、互いに球体発射方向が略向き合うように対向させて設け、夫々の前記目標物を向き合った相手側の前記球体発射手段に設けてその球体発射手段の移動に伴って移動するように構成したことを特徴とする請求項３に記載のゲーム装置。
【発明の詳細な説明】
【０００１】
【発明の属する技術分野】
本発明は、ゲーム装置、特にゲームセンターなどに設置される業務用ゲーム装置に関する。
【０００２】
【従来の技術】
従来の玉を飛ばしてバスケット等に入れる玉入れゲーム機として、例えば、特開平７−２７５４９８号に記載のものがある。このゲーム機は、回転支持台に支持されたソレノイドにより玉を飛ばす機構と、ハンドルの回転を回転支持台の回転に伝達する機構と、釦の押下によりソレノイドを動作させる機構を有する。
【０００３】
【発明が解決しようとする課題】
この様な従来のゲーム装置は、玉を飛ばすための遊戯者の操作が、発射釦の押下のみであるため、遊戯操作が極めて単純であり、遊戯性が低いものとなっている。また、玉を飛ばすための機構が、ソレノイドとプランジャを用いたもので、発射釦の押下により１個ずつ玉を飛ばすため、視覚効果や遊戯性が低いものである。また、回転ハンドルと回転支持台を、リンクを用いた機械的構成で接続しているため、回転支持台の回転動作は回転ハンドルの操作に比例した動作となり、柔軟な回転動作を行わせることが困難である。
本発明は、前記のようなことから、玉入れゲーム装置の玉を飛ばすための遊戯操作の遊戯性の向上を目的とする。
【０００４】
【課題を解決するための手段】
本発明の手段は、遊戯者の操作により球体を目標物に向かって飛ばすことを含むゲーム装置であって、遊戯者により継続して操作されることにより回転部材を回転させる回転操作手段と、前記回転部材の回転速度を検出する速度検出手段と、前記ゲーム装置に収容された多数の球体の中の複数個を連続的に飛ばす球体発射手段と、前記速度検出手段の検出回転速度に応じて前記球体発射手段の発射動作速度を制御する第１の制御手段と、を備えている。前記回転操作手段が、前記回転部材を連動回転させるように設けた回転ハンドルであり、前記速度検出手段は、前記回転部材の周囲に断続して設けられた被検出部と、その被検出部を検知して回転速度信号を第１制御手段へ出力する被接触センサーとからなる。前記ゲーム装置内部に設けた盤面が、球体を集合させる傾斜面を具備し、前記球体発射手段は、前記傾斜面によって球体が集合する集合部に接近して設けられ駆動源により回転する回転軸と、該回転軸に取り付けられ回転により前記集合部の球体の複数個を同時に飛ばすように設けた少なくとも一つの羽根と、を具備する。
【０００５】
遊戯者が回転操作手段を操作すると、回転部材が回転してその回転速度が速度検出手段によって検出され、その検出回転速度に応じて第１の制御手段が球体発射手段の発射動作速度を制御する。従って、発射される球体の速度は、回転操作手段の操作を加減することによって変更される。そして、遊戯者により継続して操作される回転操作手段を用いたので、従来の単純な押釦を押して放す操作に比べ、継続性を要求される操作となり、より遊戯性の高いゲーム装置となる。更に、回転操作手段による回転部材の回転速度に応じて発射手段の発射動作速度を制御する第１の制御手段を設けたので、回転操作手段による回転部材の回転速度に対する球体発射手段の発射動作速度を、単純に比例しない関係としたり、上限や下限を設けた関係とすることができる。更に、回転操作手段を、回転ハンドルとしたので、従来の釦を押し下げる操作手段に比べ、より自然な動作で継続した操作を行うことが可能となる。また、速度検出手段が、回転ハンドルに連動回転する回転部材の周囲に断続して設けられた被検出部を非接触センサーで検出する構成としたので、簡単な構成で従来にない回転操作速度検出手段を実現できると共に、故障や誤動作を少なくできる。その上、ゲーム装置内に適当な数量の球体を収容しておくと、球体は傾斜面を下降して集合するので、その集合部の球体を発射手段により飛ばしても再度集合部に戻ってくるから、球体発射手段が連続的に動作していても常に集合部に球体が存在する。従って、球体発射手段は複数の球体を同時に発射でき、しかも連続的に発射できるから、１個ずつ発射する従来のゲーム装置に比べ、視覚的に華やかであり、遊戯性が高いものとなる。
【００１０】
前記回転操作手段が、遊戯者の操作により左右に揺動操作可能に設けられ、別に、前記回転操作手段の揺動を検知して信号を発する揺動検知手段と、前記球体発射手段を左右に揺動させる移動手段と、前記揺動検知手段からの信号に応じて前記移動手段に球体発射手段を左右に移動させる第２の制御手段とを設けた構成とするのがよい。
【００１１】
このように構成することによって、遊戯者は回転操作手段を回転操作しながら同時に移動操作可能である。従って、球体が飛ばされる方向を見ながら移動操作することにより、球体の飛ぶ方向を変えることができる。また、操作手段と発射手段とのあいだにリンク機構のような機械的機構を用いないで、揺動幅や揺動速度などを自由に設定可能となり、より遊戯性の高いゲーム装置とすることが可能となる。また、操作手段と発射手段とのあいだにリンク機構のような機械的機構を用いない構成は、遊戯待機中などに、操作手段の揺動により発射手段が揺動することを容易に禁止でき、球体発射手段の過剰動作による故障を防止できる。
【００１２】
前記目標物が、前記ゲーム装置内部を移動可能なように構成され、上側から下側へ前記球体の通過できる通過部を有するものであり、その通過部を通過した球体の数を計数して表示する表示部を別に設けた構成とするのがよい。
【００１３】
このような構成では、限られた時間内に、移動する目標物に球体をどれだけ多く投入できるかという遊戯性をもたせることが可能となる。
【００１４】
前記目標物、回転操作手段、回転速度検出手段、球体発射手段を備えた２組のゲーム装置を、互いに球体発射方向が略向き合うように対向させて設け、夫々の前記目標物を向き合った相手側の球体発射手段に設けてその球体発射手段の前記移動に伴って移動するように構成するのがよい。
【００１５】
この構成では、二人の遊戯者が同時に遊戯し、夫々に向き合った球体発射手段に目標物を設けてあり、夫々相手の目標物を自分の球体発射手段を移動させることによって移動させることができ、相手の投入数を少なくしながら自分の投入数を多くするという、対戦形式の遊戯性を有するものとなる。
【００１６】
【発明の実施の形態】
本発明の１実施の形態を図１〜図５を用いて説明する。このゲーム装置１は、２人の遊戯者が対戦できるように構成したもので、図１に外観を示すように、同様な２つの装置を向かい合わせに設けてあり、遊戯者が夫々の回転ハンドル１０を回転させてボール４を発射することにより、相手側の人形７の背後に設けたバスケット８に入れるボールの数を得点として競うゲーム装置である。
【００１７】
ゲーム装置１は、図１に示すように、略直方体の基台２の上方を透明なアクリル樹脂製の丸みを帯びたドーム３で覆われており、基台２の上部のドーム３内には、球体４を集合させるための傾斜を有する遊戯盤面５が設けられている。この遊戯盤面５の傾斜は、双方の同様な装置の対向する中間部を境に両側へ下降傾斜し、両端部で上昇傾斜しており、遊戯者から見て夫々の手前側へ球体であるボール４が集合するようになっている。このボールが集合する位置に夫々球体発射手段６を設けてある。球体発射手段６の上部には球体を発射する子供を模した人形７が設けられ、人形の背後に球体を受け入れる相手側の目標物としてのバスケット８が設けられている。バスケット８は、上から入ったボール４が下方へ通り抜けて遊戯盤面５上に戻るように筒状に形成され、その内部にはボール４が通過したことを検知する、例えば接触部材とリミットスイッチからなるセンサー１６が設けられている。
【００１８】
基台２の対向する側面の上部には、夫々遊戯者が操作を行う操作盤９が設けられている。夫々の操作盤９には、中央部に遊戯者が操作する回転操作手段としての回転ハンドル１０が盤面から起立した支柱４１に設けられている。ハンドル１０は両側に突出した１対のレバー１１を有しており、遊戯者が両手でレバー１１を把持して回転ハンドル１０を回転させることができ、後述するようにこの回転に基いて結果的に球体発射手段６が作動し、ボール４を発射する。また、回転ハンドル１０は、支柱４１の下端部が軸３２に支持されていてその軸３２を中心に左右に傾動するようになっている。この傾動に基いて、後述するように結果的に球体発射手段６が左右に移動する。
【００１９】
操作盤９の左側には、音声を発するスピーカ開口部１２が、中央手前側には得点を表示する１対の表示部１３、１４が設けられている。表示部１３は対戦相手の得点を、表示部１４は自分の得点をそれぞれ表示する。この得点はバスケット８を通過したボールの数を計数したものである。また、基台２の操作盤９の上面には、遊戯方法や料金を示す案内が表示してある。また、一方の操作盤９の下部には、コイン投入口１５が設けられている。
【００２０】
回転操作手段は、図２、図３に示すように、前記回転ハンドル１０が軸１９を支柱４１に回転可能に軸受支持され、その軸１９に回転部材としての円板２０を固定され、円板２０が回転ハンドル１０の回転とともに回転する。この回転部材である円板２０の実質的な回転速度を検出するために、円板２０の外周に被検出部として多数の切り欠き部４０を設けられ、これを検知するフォトセンサ２１が支柱４１上端のカバー４２の内面に固定されている。このような構成により、回転ハンドル１０の回転方向にかかわらず円板２０の回転速度を検出することができる。この検知信号は回転速度に対応する電気的なパルス信号であり、フォトセンサ２１と切り欠き部４０を有する円板２０とは速度検出手段である。検知信号は、図示していない電気的な制御部からなる第１の制御手段に送られる。
【００２１】
前記回転操作手段は、図２、図４に示すように、遊戯者によって左右に揺動可能に回転ハンドル１０の支柱４１の下端部を軸３２によって支持されている。そして、この揺動の方向、すなわち右方か左方かを検出する揺動検知手段を設けてある。揺動検知手段は軽トルクスイッチ３０、３１であり、図４に示すように、支柱４１の下端の軸３２を挟む両側下方位置には突出縁４３を設けてあり、この突出縁４３に対応して軽トルクスイッチ３０、３１を基台側に固定した構成である。これは回転操作手段の揺動の方向と反対側の軽トルクスイッチが動作してその揺動を検知するようになっている。この揺動の検知信号は図示していない電気的制御部である第２の制御手段へ送られる。
【００２２】
球体発射手段６は、図１、図２、図５に示すように、前面に複数の、例えば５箇のスリットを有するカバー２５を設け、このカバー２５内に設けてある。カバー２５は、前記球体集合部を構成する斜面の下流に位置させてあり、常にボール４が前側に移動してきて貯留される。カバー２５内には、２枚の羽根３３を外周の１８０度異なる位置から夫々突出させた羽根付きプーリ２２を設けてあり、その羽根３３は前記スリットを通過できる５個の突起部を先端側に有する櫛状に形成されている。羽根付きプーリ２２は無端ベルト２３を介してモータ２４により回転駆動され、回転により羽根３３の突起部がスリットから出た位置を通り、この時貯留されているボール４が斜め上方の前方へ弾き飛ばされる。モータ２４は、前記回転ハンドル１０の回転により回転する円板２０の回転速度に基いて前記第１の制御部で決められる回転速度で回転駆動される。前記羽根付きプーリ２２の羽根３３は、例えばボール４の直径が４０ｍｍで、羽根の幅が１１０ｍｍとされ、羽根３３がスリットを１度通過すると、少なくとも２個以上のボールが同時に発射される。この前記球体発射手段６は、移動手段によって左右に移動するようになっている。
【００２３】
その球体発射手段６を移動させる構成は、図２、図５に示すように、球体発射手段６を左右に移動可能に支持しているレール状のスライダーガイド２６、カバー２５の後部に固定され後方へ伸延しているスライドアーム２７、このスライドアーム２７に先端のローラが係合して定位置を中心に１８０度の範囲を往復回動する揺動アーム２８、この揺動アーム２８を駆動するモータ２９等で構成されている。モータ２９が駆動手段であり、前記回転ハンドル１０の揺動を検知する軽トルクスイッチ３０、３１の信号に基いて第２の制御部により制御される。すなわち、ハンドル１０が右へ揺動していると検知した場合には、モータ２９が揺動アーム２８を先端が右へ回動するように駆動し、これによってスライドアーム２７が右へ移動せしめられ、球体発射手段６が右へ移動する。ハンドル１０が左へ揺動していると検知した場合は、同様にして球体発射手段６が左へ移動する。ハンドル１０の揺動が戻されて中立状態になったときは球体発射手段６の左右移動が停止する。なお、球体発射手段６の左右移動により、元の位置にあった部分の空所は球体発射手段６に設けあるカバーで覆われるようになっており、支障はない。
【００２４】
なお、スピーカ開口部１２からの音声は、例えば、待機中にＢＧＭが流れ、コイン（１００円）の投入によりＢＧＭが停止し、クレジット音が発生し、さらにコイン（２００円）が投入されると、操作説明、ＢＧＭが開始され、操作説明、ＢＧＭ終了後に５０秒程度のゲーム時間があり、その間始めの４０秒間プレイ中のＢＧＭ１、次の１０秒間に緊迫感を煽るＢＧＭ２が流れ、終了時点で終了音（笛の音）が出され、最後に夫々の合計得点と勝者がアナウンスされる、ようになっている。
【００２５】
このゲーム装置１は、次のように使用される。コイン（通常２００円）の投入により、音声による操作説明が行われてから、ゲーム開始状態となる。ゲーム開始と同時に、回転ハンドル１０の回転操作により球体発射手段６が動作し、ボール４が発射される。回転ハンドル１０の回転速度の変化によって羽根付きプーリ２２の回転速度が変化するから、ボール４の発射速度が変化し、バスケット８の位置にボール４が丁度到達するように回転操作速度を工夫する。発射したボール４が相手側のバスケット８にできるだけ多く入るように球体発射手段６をハンドル１０の揺動操作により左右に移動させて狙いを付けると共に相手側から発射されるボール４が自分の側のバスケット８に入らないように左右移動を工夫する。バスケット８に入ったボール４の数は、入る度毎に表示部１３、１４に合計して表示される。ゲーム終了後には、夫々の合計得点と勝者がアナウンスされる。
【００２６】
このゲーム装置１は、回転ハンドル１０の回転が回転速度を検出し、一旦電気信号に変換し、その信号に応じて適当な回転速度で球体発射手段６の羽根付きプーリ２２を回転させる構成であるから、機械的な連結構造に比べて、羽根付きプーリ２２の回転速度を任意に制限できる。例えば、回転ハンドル１０が無闇に速く回転操作されても、モータ２４の回転に上限と下限を設けて、破損を防止したり、また、ボールが前方へ飛ばないような状態を回避させて、興味の低下を防止することが可能である。また、球体発射手段６を左右に移動させる構成も回転ハンドル１０の揺動と軽トルクスイッチ３０、３１とにより検知してモータ２９を駆動して行うから、間接駆動であり、機械的に直接駆動する構成に比べて揺動する部分である球体発射手段６が損傷を受けにくい。
【００２７】
前記実施の形態において２人が対戦する構成のものとして説明したが、場合によっては、１人で遊戯できる構成にすることが可能である。すなわち、例えば前記実施の形態において、一方の操作盤９を１人が操作し、相手側操作盤を人が操作するのでなく、球体の発射や揺動が適当なプログラムにしたがって自動的に動作するように構成すればよい。
また別に、ゲーム装置を２人が対戦する形式としないで、バスケットを自動的に揺動させ、そのバスケットに向けて前記実施の形態における一方の遊戯者が操作する部分を設けて、所定遊戯時間の得点を表示し、複数人が順番にゲームを行って得点を競うようにしてもよい。
【００２８】
【発明の効果】
請求項１に記載の発明は、遊戯者が操作部を継続して回転操作することから、単純な押釦操作よりも遊戯性が高いものとなる効果を奏する。また、球体発射手段の球体発射動作速度が、回転部材の回転速度と第１の制御手段とにより適切に制御できるので、遊戯性を損なわないようにできる効果を奏する。
また、請求項１に記載の発明は、継続した操作を自然に行うことができ、故障や誤動作を防止できる効果を奏する。
さらに、請求項１に記載の発明は、１個ずつ発射する従来のゲーム装置に比べ、視覚的効果にすれ、遊戯性がより高いという効果を奏する。
請求項２に記載の発明は、回転操作手段により球体の発射速度と、球体の発射方向とを操作できるから、より遊戯性の高いゲーム装置とすることができ、発射手段の移動幅や移動速度を回転操作手段の揺動と第２の制御手段とにより適切に制御できるので、より遊戯性の高いものとなる効果を奏し、待機中に球体発射手段を操作できないようにすることが可能であるから、球体発射手段が故障しにくい効果を奏する。
請求項３に記載の発明は、移動する目標物に球体を投入するので、ゲーム性が向上する効果を奏する。
請求項４に記載の発明は、一人対一人の対戦形式の遊戯性の高いゲーム装置とすることができる効果を奏する。
【図面の簡単な説明】
【図１】本発明の１実施の形態の外観を示す斜視図である。
【図２】同実施の形態の片側の主要部の構成を示す縦断側面図である。
【図３】同実施の形態の回転操作手段の部分破断拡大平面図である。
【図４】同実施の形態の回転操作手段の揺動を検知する検知手段の正面図である。
【図５】図２に対応する概略平面図である。
【符号の説明】
１      ゲーム装置
２      基台
３      ドーム
４      ボール（球体）
５      遊戯盤面
６      球体発射手段
７      人形
８      バスケット（目標物）
９      操作盤
１０    回転ハンドル（回転操作手段）
１１    レバー
１２    スピーカ開口部
１３    表示部
１４    表示部
１６    センサー
１９    軸
２０    円板（回転部材）（速度検出手段）
２１    フォトセンサ（速度検出手段）
２２    羽根付きプーリ
２３    無端ベルト
２４    モータ
２５    カバー
２６    スライダーガイド
２７    スライドアーム
２８    揺動アーム
２９    モータ（駆動手段）
３０    軽トルクスイッチ（揺動検知手段）
３２    軸
３３    羽根
４０    切り欠き
４１    支柱
４２    カバー
４３    突出縁
【図１】
0003856877.tif 000002
【図２】
0003856877.tif 000003
【図３】
0003856877.tif 000004
【図４】
0003856877.tif 000005
【図５】
0003856877.tif 000006